(57)【要約】【課題】ＩＳＤＮ回線を使用する監視用通信システムおよび警備用通信システムにおける装置の故障による通信不能、あるいは通信回線の断線による通信不能を速やかに検出すると共に、通信料金の低減化を図る。【解決手段】（１）監視先装置または警備先装置を複数台ごとにグループ化し、グループ内で一定時間間隔で順次発呼を繰り返し、監視先装置同士または警備先装置同士で通信不能状態を監視する。（２）監視先装置または警備先装置が着呼処理で、発番号がグループ内の電話番号もしくはサブアドレスと一致するか否かを判定し、グループ内であるときは「呼設定受付」メッセージ送信後に、着信拒否する。発呼元の装置は「呼設定受付」メッセージを受けることにより、相手方の装置は通信不能状態ではないと判定し、通信接続を切断すると、通信料金はかからない。【選択図】        図１
2005072753.tif 000002
【特許請求の範囲】
【請求項１】
監視元装置および警備元装置を、ＩＳＤＮ回線を介して複数の監視先装置および複数の警備先装置にそれぞれ接続して構成した監視用通信システムおよび警備用通信システムにおいて、
前記複数の監視先装置および複数の警備先装置を、予め設定した装置台数毎に順次接続して複数のグループに分割し、前記ＩＳＤＮ回線を介してそれぞれの監視元装置および警備元装置に前記複数のグループを接続して通信システムを構成しておき、
さらに、それぞれの監視先装置および警備先装置にそれぞれ発呼順番を設けた固有の電話番号を登録しておくと共に、それぞれの番号を記憶できる機能を付加しておき、
グループ内の監視先装置または警備先装置から予め設定した一定時間間隔毎に順次発呼動作を繰り返し、隣接して接続してある監視先装置または警備先装置の着呼処理により、「呼設定」メッセージから発番号を読み出してグループ内の電話番号と一致するか否かを判定し、グループ内の電話番号であるときは「呼設定受付」メッセージ送信後、着信拒否すると共に、発呼動作を行った前記装置は「呼設定受付」メッセージを受けることにより、前記「呼設定受付」メッセージを送信した前記装置は通信不能状態ではないと判定して通信接続を切断することを特徴とする監視用通信システムおよび警備用通信システムの通信不能状態を検出する方法。
【請求項２】
ＩＳＤＮ回線を介して、複数のグループに分割して構成した監視用通信システムおよび警備用通信システムにおいて、
それぞれの監視先装置および警備先装置のグループ毎にサブアドレスを予め設定しておき、それぞれの前記装置に電話番号とサブアドレスとを登録しておくと共に、それぞれを記憶できる機能を付加しておき、
グループ内の監視先装置または警備先装置からの発呼動作を予め設定した一定時間間隔毎に順次繰り返し、自己サブアドレスと異なるサブアドレスを付加した発呼メッセージを、隣接して接続してある監視先装置または警備先装置の着呼処理により、「呼設定」メッセージから着アドレスを読み出し、自己サブアドレスと一致するか否かを判定し、自己アドレスと異なるサブアドレスと判定したときは「呼設定受付」メッセージを送信後、着信拒否すると共に、前記発呼動作を行った前記装置は「呼設定受付」メッセージの受信によって前記装置は通信不能状態ではないと判定して通信接続を切断することを特徴とする請求項１に記載の監視用通信システムおよび警備用通信システムの通信不能状態を検出する方法。
【発明の詳細な説明】
【技術分野】
【０００１】
ＩＳＤＮ回線を使用する監視用通信システムおよび警備用通信システムにおける装置の故障による通信不能、あるいは回線の断線による通信不能を速やかに検出する方法に関する。
【背景技術】
【０００２】
ＩＳＤＮ回線を使用する監視用通信システム、あるいは警備用通信システムは連続稼動による運用を行うため、監視先装置あるいは警備先装置の故障による通信不能、または回線の断線による通信不能が発生した場合、速やかに異常を検出し、監視元装置または警備元装置に対して通知しなければならない。
【０００３】
従来の監視用通信システムあるいは警備用通信システムでは、通信不能状態を検出する方法として、監視先装置あるいは警備先装置から一定時間間隔で状態確認の通信を行うことにより、監視元装置や警備元装置はその通信が途切れることにより異常を検出していた。
しかし、この方法では監視先装置や警備先装置の設置数が増えるに従って通信量も増加し、一定時間間隔を短くできない。
この時間間隔が長いということは、通信不能を検出するまでの時間が長くなることを意味するので、監視や警備を目的とした通信システムにとっては致命的である。
【特許文献１】特開平１０−１９０８９０号公報
【発明の開示】
【発明が解決しようとする課題】
【０００４】
(1) 監視先装置や警備先装置の故障による通信不能、あるいは通信回線の断線による通信不能が発生した場合には、速やかに異常を検出し、監視元装置または警備元装置に対して通知すること。
(2) また、速やかに異常を検出するためには、一定時間間隔を短くする必要があるので通信回数が増加するが、この場合においても通信料金が増えないようにすること。
【課題を解決するための手段】
【０００５】
本発明は、上述した従来技術の問題点を解消しようとするものであって、次のような手段を講ずる。
(1) 監視先装置や警備先装置を複数台ずつグループ化し、グループ内で予め設定した時間間隔と順番に従って発呼を繰り返し、監視先装置同士や警備先装置同士で通信不能状態を監視する。
(2) 監視先装置や警備先装置の着呼処理で、発番号がグループ内の監視先装置または警備先装置の電話番号と一致するときは、着信拒否することにより回線接続しないので、通信料金がかからない。
(3) 監視先装置や警備先装置が着呼処理で、それぞれのグループ毎に予め設定したサブアドレスと不一致のときは、着信拒否することにより回線接続しないので、通信料金がかからない。
【発明の効果】
【０００６】
本発明による監視用通信システムおよび警備用通信システムにおける通信不能状態を検出する方法では、監視先装置または警備先装置を複数台ずつにグループ化し、グループ内の装置同士で一定時間間隔で発呼を順次繰り返すことにより、装置同士で通信不能状態を監視できるばかりでなく、着信拒否することによって回線接続しないようにすると、通信料金はかからないので通信経費を節約でき、かつ、一定時間間隔を短縮可能であり、状況に応じて時間間隔を任意に設定できる。
【０００７】
前記監視先装置または警備先装置をグループ化すると共に、グループ毎にサブアドレスを設定しておくと、監視先装置または警備先装置の着呼処理で、サブアドレス不一致のときは着信拒否することによって回線接続しないようにすると、通信料金はかからないので通信経費を節約でき、かつ、一定時間間隔を短縮可能であり、状況に対応してサブアドレスの変更と時間間隔を任意に設定できる。
【発明を実施するための最良の形態】
【０００８】
本発明を実施するための最良の形態について、監視用通信システムの全体構成を図１に示し、監視先装置の詳細構成を図３に示す。また、警備用通信システムの全体構成を図２に示し、警備先装置の詳細構成を図４に示す。
【実施例１】
【０００９】
監視用通信システムの構成は図１に示す通りであり、監視元装置１はＩＳＤＮ回線２を介して、複数の（監視先装置#１）３〜（監視先装置#Ｎ）ｎにそれぞれ接続されている。
また、前記複数の監視先装置は図３に示すように、５台ずつのグループに分割して構成してある。（５台は任意に設定したものであって、変更可能である。）
各監視先装置は、グループ内の監視先装置の電話番号を登録でき、それを記憶しておく。
例えば、ＸＸＸ−ＸＸＸ−ＸＸＸＸの電話番号を登録しておく。
【００１０】
第１のグループは（監視先装置#１）３〜（監視先装置#５）７によって構成してあり、#１〜#５の監視先装置は、それぞれ５分毎に発呼動作を予め定めた順番に従って繰り返す。（５分は任意に設定したものであって、変更可能である。）
即ち、（監視先装置#１）３は（監視先装置#２）４に対して発呼する。
（監視先装置#２）４は着呼処理で「呼設定」メッセージから発番号を読み出し、グループ内の電話番号と一致するか否かを判定する。グループ内の電話番号であるときは「呼設定受付」メッセージを送信後、着信拒否する。
（監視先装置#１）３は「呼設定受付」メッセージを受けることにより、（監視先装置#２）４が通信不能状態でないと判定し、通信接続を切断する。
【００１１】
次に、（監視先装置#２）４は、（監視先装置#３）５に対して発呼する。（監視先装置#３）５は着呼処理で「呼設定」メッセージから発番号を読み出し、グループ内の電話番号と一致するか否かを判定し、グループ内の電話番号であるときは「呼設定受付」メッセージを送信後、着信拒否する。
（監視先装置#２）４は「呼設定受付」メッセージを受けることにより、（監視先装置#３）５が通信不能状態でないと判定し、通信接続を切断する。
【００１２】
以下同様にして、（監視先装置#３）５は（監視先装置#４）６に対して、（監視先装置#４）６は（監視先装置#５）７に対して、さらに、（監視先装置#５）７は（監視先装置#１）３に対して発呼し、それぞれの監視先装置における着呼処理で「呼設定」メッセージから発番号を読み出し、グループ内の電話番号と一致するか否かを判定し、グループ内の電話番号であるときは「呼設定受付」メッセージを送信後、着信拒否する。
「呼設定受付」メッセージを受け取った（監視先装置#５）７は（監視先装置#１）３が通信不能状態でないと判定し、通信接続を切断する。
【００１３】
発呼先の監視先装置に「呼設定受付」メッセージが来ないときは、相手が通信不能状態にあると判定して、監視元装置１に通知する。
以上の説明は第１のグループに関するものであるが、その他のグループに対しても同様な手段を講ずる。
【実施例２】
【００１４】
警備用通信システムの構成は図２に示す通りであり、警備元装置１０１はＩＳＤＮ回線１０２を介して、複数の（警備先装置#１）１０３〜（警備先装置#Ｎ）ｍに接続されている。
また、前記複数の警備先装置は図４に示すように、５台ずつのグループに分割して構成してある。（５台は任意に設定したものであって、変更可能である。）
次に、警備先装置のグループ毎に、サブアドレスを登録する。実施例ではサブアドレスを００２としたが任意に設定したものであって変更可能である。
例えば、ＸＸＸ−ＸＸＸ−ＸＸＸＸ  ００２
電話番号              サブアドレス
各警備先装置は、グループ内の警備先装置の電話番号とサブアドレスを登録でき、それを記憶しておく。
【００１５】
図４における第１のグループは、（警備先装置#１）１０３〜（警備先装置#５）１０７によって構成してあり、それぞれ５分毎に発呼動作を繰り返す。（５分は任意に設定したものであって、変更可能である。）
また、着信は、表１に示す着信時のアドレス照合条件に従う。
（警備先装置#１）１０３は（警備先装置#２）１０４に対して発呼し、その際、サブアドレスは００４を指定する。
（警備先装置#２）１０４は着呼処理で「呼設定」メッセージから着アドレスを読み出し、自己アドレスと一致するか否かを判定する。自己アドレスは００２なので不一致であるから、「呼設定受付」メッセージ送信後に、着信拒否する。
（警備先装置#１）１０３は、「呼設定受付」メッセージを受けることにより、（警備先装置#２）１０４が通信不能状態ではないと判定し、通信接続を切断する。
【００１６】
次に、（警備先装置#２）１０４は（警備先装置#３）１０５に対して発呼する。その際、サブアドレスは００４を指定する。
（警備先装置#３）１０５は着呼処理で、「呼設定」メッセージから着アドレスを読み出し、自己アドレスと一致するか否かを判定する。自己アドレスは００２なので不一致であるから、「呼設定受付」メッセージ送信後に、着信拒否する。
（警備先装置#２）１０４は、「呼設定受付」メッセージを受けることにより、（警備先装置#３）１０５が通信不能状態ではないと判定し、通信接続を切断する。
【００１７】
以下同様にして、（警備先装置#３）１０５は（警備先装置#４）１０６に対して、（警備先装置#４）１０６は（警備先装置#５）１０７に対して、さらに、（警備先装置#５）１０７は（警備先装置#１）１０３に対して発呼し、それぞれの警備先装置における着呼処理で「呼設定」メッセージから着アドレスを読み出し、自己アドレスと一致するか否かを判定する。発呼する際のサブアドレスを００４と指定しておくと、自己アドレスは００２なので不一致であるから「呼設定受付」メッセージ送信後、着信拒否する。
（警備先装置#５）１０７は「呼設定受付」メッセージを受けることにより、（警備先装置#１）１０３が通信不能状態でないと判定し、通信接続を切断する。
【００１８】
発呼元の警備先装置に「呼設定受付」メッセージが来ないときは、相手が通信不能状態にあると判定して警備元装置１０１に通知する。表１に、着信時のサブアドレス照合条件を示す。
【００１９】
【表１】
2005072753.tif 000003
【００２０】
以上の説明は、第１グループに関するものであるが、その他のグループに対しても同様な手段を講ずる。
【００２１】
上述した実施例においては、図１と図３は監視用通信システムの回路構成とし、図２と図４は警備用通信システムの回路構成として説明してあるが、電話番号とサブアドレスの設定は任意に変更可能である。
【図面の簡単な説明】
【００２２】
【図１】監視用通信システムの全体構成を示す説明図。
【図２】警備用通信システムの全体構成を示す説明図。
【図３】監視先装置の詳細構成を示す説明図。
【図４】警備先装置の詳細構成を示す説明図。
【符号の説明】
【００２３】
１      監視元装置
１０１  警備元装置
２，１０２  ＩＳＤＮ回線
３〜ｎ      監視先装置#１〜#Ｎ
１０３〜ｍ  警備先装置#１〜#Ｎ
【図１】
2005072753.tif 000004
【図２】
2005072753.tif 000005
【図３】
2005072753.tif 000006
【図４】
2005072753.tif 000007